(57)【特許請求の範囲】
【請求項１】
中核となす多孔性保有物質（符号２）は、竹酢液を浸透させた竹炭粉（多孔性物質符号１）を竹紙又は、竹繊維を主原料としたレーヨン、もしくは竹繊維を主原料とした半合成繊維のアセテートに含浸させて形成し、竹繊維を主原料とした竹紙又はレーヨン、もしくは竹繊維主原料とする半合成繊維のアセテート布からなる表地及び裏地（符号３）によって、前記多孔性保有物質（符号２）を包み込んで一体となるように形成した寝具用敷パッドであって多孔性保有物質（符号２）の作成は、希釈した竹酢液と竹炭粉とを用意し、竹酢液及び竹炭粉を用意した容器の中に入れミキサーにてミキシングし、ミキサーを外した容器の中に竹紙、又は、レーヨン、もしくはアセテート布をつけ込んで含浸させて形成したものであることを特徴とする寝具用敷パッド。
【請求項２】
請求項１に記載の寝具用敷パッド用において、前記竹炭粉（多孔性物質符号１）は、炭化温度６５０℃〜７５０℃にて炭化した竹炭を砕いて作ったものであり、前記希釈した竹酢液は、精製された竹酢液を３００倍〜８００倍に希釈したものであることを特徴とする寝具用敷パッド。
【請求項３】
中核となす多孔性保有物質（符号２）は、竹酢粉を浸透させた竹炭粉（多孔性物質）（符号１）を竹紙又は、竹繊維を主原料としたレーヨン、もしくは竹繊維を主原料とした半合成繊維のアセテートに含浸させて形成し、竹繊維を主原料とした竹紙又はレーヨン、もしくは竹繊維主原料とする半合成繊維のアセテート布からなる表地及び裏地（符号３）によって、前記多孔性保有物質を包み込んで一体となるように形成した壁クロスであって、尚前記多孔性保有物質（符号３）が一体となる表地と裏地の一方に竹繊維を原料とした不織布（符号４）を積層し通気性と耐熱性を有することを特徴とし、多孔性保有物質（符号２）の作成は、希釈した竹酢液と竹炭粉とを用意し、竹酢液及び竹炭粉を用意した容器の中に入れミキサーにてミキシングし、ミキサーを外した容器の中に竹紙、又は、レーヨン、もしくはアセテート布をつけ込んで含浸させて形成したものであることを特徴とする壁クロス。
【請求項４】
請求項３に記載の壁クロスにおいて、前記竹炭粉（多孔性物質）（符号１）は、炭化温度７００℃にて炭化した竹炭を砕いて作ったものであり、前記希釈した竹酢液は、精製された竹酢液を３００倍〜８００倍に希釈したものであることを特徴とする壁クロス。
【発明の詳細な説明】
【技術分野】
【０００１】
本発明は寝具用敷パッドにおいて防水、抗菌、消臭、調温、の効果があり、又冬は暖かく夏は涼しい安眠効果のある寝具用敷パッドと防水、抗菌、消臭、調湿、電磁波防止、マイナスイオン発生効果があり又、冬は暖かく夏は涼しい効果などのある壁クロスに関する。
【０００２】
敷パッドにおいて防水性の効果があるシーツは従来知られているが、しかし、防水、消臭、抗菌、調湿効果又、冬は暖かく夏は涼しい安眠効果を有するものは見当らない。又、壁クロスにおいて防水、消臭、抗菌、の効果のあるクロスは従来知られているが、防水、消臭、抗菌、調湿、電磁波防止、マイナスイオン発生効果が半永久的に効果が持続するものは見当たらない。
【先行技術文献】
【特許文献】
【０００３】
【特許文献１】特許第３４２４０４２
【非特許文献】
【０００４】
【非特許文献１】内村悦三著、KK創森社発行（2004年3月23日）竹の魅力と活用
【非特許文献２】内村悦三、谷田貝光彦、細川健治監修（1999年10月25日）                  竹炭、竹酢液の利用事典。
【非特許文献３】清岡高俊著、KKマネジメント伸社発行（2001年11月30日）                    竹資源。
【非特許文献４】岸本定吉監修、池嶋庸元著、社団法人農山漁村文化協会発行                  （1999年4月5日）竹炭、竹酢液のつくり方つかい方。
【非特許文献５】上田弘一郎著、堀川豊弘発行者、KK明玄書房発行所                    （昭和45年4月15日）竹と人生。
【非特許文献６】著者代表  上野和義、発行者  平河喜美男、発行所  財法人日本規格協会                    繊維のおはなし（１９９８年６月２９日）
【発明の概要】
【発明が解決しようとする課題】
【０００５】
竹炭に竹酢液を浸透した製品において運搬時、使用時における不具合が生じその不具合をカーバーするのに竹炭粉を不織布に練り込んでいた製品がある。しかしながら、竹炭粉を不織布に練り込んだ、不織布では竹炭粉を不織布に練り込んでいるから機能を十分に発揮することはできない。そこで竹炭、竹酢液の機能を十分に発揮させ、なおそれ以上の効果を狙い、その仕組みを発明したことが課題を解決する手段であり、下記に記述することにする。
【課題を解決するための手段】
【０００６】
上記の課題を解決するために本発明の請求項１、請求項２に記述しているような方法で製造すれば解決できるが、竹炭、竹酢液の機能として消臭、抗菌、調湿（保湿）電磁波防止、マイナスイオン発生機能効果があることは周知の事実である。
【０００７】
本発明において竹炭、竹酢液の機能に加えて竹紙又は竹繊維のレーヨン（以下レーヨンと表現）もしくは竹繊維を原料とした半合成繊維のアセテート（以下アセテートと表現）の機能を併用した多孔性保有物質を作り、竹炭粉に竹酢液を浸透させたものを、さらに竹紙又はレーヨンもしくはアセテートに含侵させた、その狙いは、それぞれの機能を複合的な効果を発揮させ、竹紙又はレーヨン、もしくはアセテートの機能を加えたことにより融合を計りさらに複合的な機能効果を十分に発揮する。
【０００８】
竹酢液を浸透した竹炭粉を竹紙又はレーヨン、もしくはアセテートに、含浸させたことにより竹炭粉が外部にもれにくく、しかも、多孔性保有物質を包む表裏一体の部分は天然繊維か、化学繊維に包み込まれ、なお包み込まれたその表地か裏地の一方に用途により、竹を原料としたトリアセテートからなる不織布を積層したことにより、多孔性保有物質は完全に包み込まれたので使用時に不具合はなくなり、運搬時にもさらに多孔性保有物質は空気不透過物質に包囲されるから不具合はまったく払拭される。
【０００９】
尚竹紙及びレーヨン、もしくはアセテート、トリアセテートの機能として、そもそもいずれも「竹繊維であり竹繊維の機能として脱臭、マイナスイオン発生、抗菌、紫外線カット吸収性、速乾効果に優れている」と記載なので竹炭、竹酢液の機能プラス竹繊維の機能を加えることでトリプルな効果を発揮し本発明の方が竹炭粉を練り込んだ不織布よりも天然繊維の方がより通気性が優れ上記、記述の色々な機能が加えられる。
【００１０】
本発明に係る資料として非特許文献１、２、３、４、５、６に記載されている本発明に必要な記述を下記に記載する。
「竹紙はその言葉どおりの竹100％の和紙です。竹の桿や皮の繊維を煮潰して紙にしますが材料や加工の仕方によって様々な異なる色合いや風合いが生まれ時に繊細な紙ができあがります。」と記載。
「工業的な利用は紙やレーヨンなどのパルプ作りである。」と記載。
【００１１】
「竹紙の歴史は古く中国では10世紀頃、宗の時代から使われていたと聞きます。  15世紀、明の時代に書かれた中国の技術者とも言うべき天工開物と言う書物を見ますと製紙の製法です。数ある紙作りの中の代表として竹紙の作り方が出ているのですから当時の中国ではポピラーな紙だろうと思います。にもかかわらず日本ではコウゾウ、ミツマタを原料とした和紙に比べ竹紙はあまり知られていません。竹は日本各地にこれほど生えているのに紙の利用は昔も今もいまひとつと言うのが実情です」と記載。
【００１２】
「竹の繊維は長く広葉樹より優れパルプに適する。ところが広葉樹は繊維が短いので竹をまぜて良質な紙を作りだそうと研究が進められている。竹の繊維は木よりも細長く良質な紙になる。」と記載。
「近ごろ竹が瓦斯を吸着する力の強いのに目付けられている。」と記載。
【００１３】
「竹は脱臭に優れこれは竹の持つ吸着性によるもの、マイナスイオン発生させるので副交感神経に働きかけてストレスを解消してくれる。それと同時に全身をリラックスさせ睡眠作用もある。人は睡眠中炭酸ガスを出して汗をかく脱臭、抗菌、吸収効果が発揮され体臭、寝汗を取り除いてくれる。気持ちよく眠れるだけでなく新陳代謝を促す作用もあるため寝ている間に生命力を高めてくれすっきりさわやかな目覚めを約束してくれる。」と記載。寝具用敷パットに最適な機能です。
「紙としての竹紙の特性はきわめて吸収性のよいことがあげられます。」と記載。紙ですから糊を使って自分でかんたんに張ることもできますし、ホルムアルデヒドなどのシックハウスの心配もない。」と記載。クロスに最適な機能。
【００１４】
「竹は糸にしても抗菌性、消臭性、紫外線をカットするしUV効果に優れています。又竹は繊維構造が空洞状のため吸収性、速乾性にも優れています。竹繊維は湿気吸収がものすごく早くそれをいかにゆっくり吸収させるかと言うことも大きな問題となりました」と記載されていたが本発明において、寝具用敷パッド、壁クロスおいてはむしろ良い機能であり、竹を主原料としているので調湿ができ、それに加え竹炭に竹酢液を浸透したものを、さらに竹紙およびレーヨン、又はアセテートに含浸させたことにより複合的な機能を発揮する。
【００１５】
「アセテート繊維はトリアセテート繊維に比べ親水性に優れ耐熱性ではトリアセテートが勝っています。」と記載。クロスの機能。
【００１６】
「竹炭はいろいろな種類の竹を炭窯に入れて空気を遮断しながら800℃〜700℃程度の高温で焼いて作ります。竹は木よりも組成が細かいため繊細な孔のたくさん開いた炭ができます。温度と燃焼条件によって焼き上げられた炭の性質が異なってきます。窯の中の上下で200℃位の温度差があるので見た目は同じでも性質が全く逆の炭になっていることもある」と記載され、「焼成温度700℃〜1000℃で炭化した竹炭は白炭である。400℃〜750℃で炭化されたものは黒炭である。」と記載。
「炭やきの仕上げ段階で窯の中の温度を上げ炭材から出たガスを燃焼させる一連の作業を、ネラシとよぶが（精錬）、炭全体の炭化温度を均一にする。」と記載。
【００１７】
「焼成温度等の条件によって熱分解の進み方が異なってくるため残った灰に含まれる炭素の割合も異なり高い温度で焼かれたものほど高い炭素率を示します。600℃で焼成、炭素率85％、800℃で焼成、炭素率は90％程度」と記載。
「火の消し方よって白炭と黒炭に区別され白炭の焼き方は窯の温度がほぼ終わる約400℃に上昇した段階で窯口を開いて釜の中に空気を送り込み釜のたまっているガスを燃焼させて温度を一気に約1000℃上げると炭材の温度もまんべんなく上昇する。そこですばやく炭を釜からかき出し消粉をかぶせて急冷させながら消す。黒炭の焼き方は同じように400℃まで温度を上げほぼ炭化が終了した段階で釜を密着しそのまま空気を遮断して火を消し自然に冷却してから取り出す。」と記載。
【００１８】
「電気抵抗が少ない白炭、炭の精錬度はその炭の電気的特性つまり電気抵抗値で見わけることができる。炭は炭化温度650℃くらいに電気的変位点があり白炭はもとより黒炭でもよく炭化され不純物の少ない炭は電気抵抗が少ない。」と記載。
（電磁波防止と推認される）
【００１９】
「調湿用、竹炭が完全に水分の吸着と脱着を繰り返すには微細な多孔性組織を多く必要とされ、それには700℃以上で焼き炭素含有量も80％をこえる竹炭が最適である。」と記載。
「竹炭から出ている微量の遠赤外線の効果により発汗作用が起こり温度が上がって血行がよくなり腕、肩の疲れが起きにくくなり又、竹炭は静電気を取り去ってくれ、ホルムアルデヒドを吸着します。尚電磁波吸収とシックハウス防止効果もあり竹炭は湿度80％を中心に調湿機能がある。」と記載。敷パッド、クロスに適した機能。
「竹炭はマイナスイオン発生機能がある。」と色々な書を読むと記載されているが「化学的にはまだ解明されていないのですがマイナスイオンが発生する」との記載が散見しています。又「長時間座っていても眠気がおこらず頭すっきり勉強、仕事に役立ちます。」と記載。クロスに適した機能。
【００２０】
「竹炭を拡大してみると目では見えないほどのちいさな孔がたくさん開いた多孔性の構造になっています。竹炭が持つ微細な多孔性組織は好気性のバクテリアの繁殖のための住みかとなります。炭化することにより多孔質となり吸着は大きくなり着生した分子はそのまま微生物によって分解する。この構造のために竹炭にはいろんな分形と大きさの分子を分離したり包みこんだりすることかでき、このような現象を包格と言います。包格は実に多くの分子間で行なわれ食品工業、化粧品や香料、医薬品の領域などで重用なテーマになってきています。」と記載され、つまり、臭い吸着作用、調湿、保湿作用、環境ホルモン等の吸着効果のことであります。
「土窯の中温度（650℃〜750℃）が商品化に一番適した竹炭」と記載。
【００２１】
「OA機器、家電製品から電磁波が体に及ぼす影響が心配される。通電性のある（高温でやいた）竹炭を家電器のまわりに置たり身につけて防衛をはかっている人が増えている。竹炭が完全に水分の吸着と脱着を繰り返すには多くの細孔の存在があることがわかってきた。それには700℃以上でやき、炭素含有量も80％を超える竹炭が最適である。（調湿用）また、竹炭を敷いた床下の温度は冬期では外気より数度高く外気温が上昇してきた、4月以降は逆に数度低い値を示した」と記載。本発明の寝具用敷パッドと壁クロスにおいてこれらの機能にて冬は暖かく夏は涼しくなるのです。
【００２２】
「土窯で生産した竹炭には土窯でしかできない素晴らしい特徴がありますが、土窯では均質的な再現性に乏しい言う致命的な欠点があります。利用目的に合致した機能を持ち、温度を特定した高精度な温度制御が可能な実用窯が不可欠であると考えました。」と記載されていた。
【００２３】
「竹炭を炭化する際に出る煙の温度75℃〜120℃までの温度で出る煙を急冷してできた竹酢液やタールに含まれている成分は竹材を構成するが熱分解されて生じたもので（120℃以上の煙についてはタール分が含まれる）竹酢液は精製されたもの、溶解タール含有率3％以下、比重値は1.010〜1.050以下、色は良質な竹酢液は淡黄色又は明るい茶色か茶褐色しているものを使用すること竹酢液は粗悪なものでなく2年〜3年へていて成分が安定したものを使用」と記載。
【００２４】
「竹酢液が消臭、殺菌、土壌改良、虫獣忌避などに作用効果がある。」と記載。
「病院には一種独特な臭があります。ある病院で備え付けの加湿器の水タンクに竹酢液を少量入れたところ病院のいやな臭いが消えたとの報告がありました。同様に寝たきりの老人の部屋に竹酢液（300〜500倍に希釈）を1日1回霧吹き散布したところいやな臭いが消えたと報告もあります。」と記載。即効性である。
［発明の効果］
【００２５】
本発明の寝具用敷パッドと壁クロスにおいて、多孔性保有物質の表地と裏地の間に多孔性物質を有しその多孔性物質の機能を十分に発揮できるシステムを発明。用途別に竹炭の炭化温度を変えた竹炭粉と精製した用途別に希釈した竹酢液を浸透させた多孔性物質は多孔性保有物質の表地と裏地の間に多孔性物質が含浸された状態になり、なおそれと包囲しその多孔性保有物質を包囲した材質にも工夫があります。多孔性保有物質の表地と裏地の表裏一体の部分に天然繊維又化学繊維にて構成され又は多孔性保有物質の表地か裏地の一方に用途により竹繊維の半合成繊維トリアセテートからなる不織布で積層したことにより竹炭粉を練り込んだ不織布より使用時には、より通気が良くなる。
【００２６】
本発明は竹炭、竹酢液、竹紙、レーヨン、アセテート、トリアセートの機能を併用することにより防水、抗菌、消臭、調湿、効果又は冬に暖かく夏は涼しい安眠効果（鎮静）がある理想的な寝具用敷パッドの提供ができ又、防水、抗菌、消臭、調湿、電磁波防止、マイナスイオン発生、空気清浄、又冬は暖かく夏は涼しい効果が半永久に持続する理想的な壁クロスである。
【００２７】
「尚、アジア各国では竹の特徴を利用して竹紙、パルプ、竹炭、日用雑貨など作り又東南アジア各国、中国、ブラジル、コスタリカなどは資源不足を解消するために植林が行われ竹を利用することにより地球にやさしいエコロジーな材料を使用することによって地球環境の改善に役立ち」ただ付則として記述すれば「竹の機能は科学的にはまだ解明されていない部分がたくさんあり今後の研究が待たれ地球全体の資源や生活環境、地域活性等の今後ますます重要な課題であります。」と記載。
【図面の簡単な説明】
【００２８】
【図１】本発明に係る寝具用敷パッドと壁クロスの横方向の断面図
【発明を実施するための形態】
【００２９】
以下、本発明の実施の形態について詳細に説明する。まず用意する資材として既存の竹紙、竹炭、竹酢液とミキサーであり、竹炭は寝具用敷パッド用、壁クロス用として竹炭の炭化温度を変えた竹炭と、寝具用敷パッドと壁クロス用に希釈した竹酢液を用意し、竹酢液は粗悪なものでなく溶解タール含有率3％以下比重値は1.010〜1.050、色は淡黄色又は明るい茶色か茶褐色のもので成分が安定したもの用意。問題点として竹炭粉に竹酢液を浸透したもの（核）を竹紙又はレーヨン、もしくはアセテート布（多孔性保有物質）にいかにして生産ラインにて含浸させるかであり、色々な方法が考えられるが、そのひとつとして寝具用敷パッドと壁クロス用に竹炭を用意し、上記、記述した精製された利用目的に合致した適性濃度を特定し希釈した竹酢液と、利用目的に合致した炭化温度を特定した竹炭を別々に用意して、ミキサーの中に混入しミキシングしたものをそのままある程度大きな容器に入れその中に竹紙又はレーヨン、もしくはアセテート布をつけ込むことにより竹炭粉に竹酢液を浸透させたものが竹紙、又はレーヨン、もしくはアセテート布に含浸させることができるのであり、そのできたものを取り出し常温にて送風し乾かしたものが多孔性保有物質である。
【００３０】
ここからは繊維会社の生産ラインに乗せ用途別に多孔性保有物質の表地と裏地の表裏一体の部分は天然繊維か化学繊維にて包囲され、その表地か裏地の一方に竹繊維の半合成繊維トリアセテートからなる不織布を用途により積層し多孔性保有物質を完成させるのであります。壁クロスとして制作した製品はほぼ永久的に消臭、抗菌、調湿、電磁波防止、マイナスイオン発生効果は半永久に持続します。
【００３１】
寝具用敷パッドの内、介護用敷パッドと健常者使用敷パッド（大人用、子供用）とに分け制作するので当然多孔性保有物の質量が違い介護用敷パッド（多孔性保有パッド）においては汚物が沢山ありパッドの汚れが特にひどい場合は生理用ナプキンと同じく使い捨てであり、そうでなければ健常者用パッドの使用方法と同じく多孔性保有物のみ天日干でよく、水洗をすることはしなくて良い。
【産業上の利用可能性】
【００３２】
本発明は押し入れ収納マット、クロス、自動車の内張クロス、特殊な部屋の内張クロスなど利用できる。
【符号の説明】
【００３３】
１  竹炭粉に竹酢液を浸透させた多孔性物質
２  符号１（多孔性物質）を竹紙又はレーヨンもしくはアセテートに含浸した多孔性保有物質
３  竹紙又はレーヨンもしくは、アセテート布
４  不織布
【要約】      （修正有）【課題】竹炭粉に竹酢液を浸透せた材料を用いて冬は暖かく夏は涼しい寝具用敷パッドと壁クロスに構成する植えて、竹炭粉の飛散を防止させ、又通気性を良くし、又は多孔性物質が有する機能、抗菌、消臭、調質、電磁波防止、マイナスイオン発生機能を十分発揮させる。【解決手段】竹炭粉に竹酢液を浸透させたもの（多孔性物質）を竹紙かレーヨンか、アセテートに含浸して多孔性保有物質を形成すると、多孔性物質は飛散せず、さらにその多孔性保有物質の表地と裏地を、竹紙か、レーヨンか、アセテート布にて包み込むことにより表裏一体とすることができる。用途によりトリアセテートからなる不織布を積層することにより防水性と耐熱性を持たせることも可能。これらの材質には細微な孔が無数にあるがゆえに通気性は優れている。【選択図】図１【図１】
0005486115.tif 000002